(57)【要約】【課題】装飾体付き照明器具において、柔軟性のある装飾体を使用者の好みの形態で維持固定させることが可能で、装飾性機能の向上を図る。【解決手段】灯具本体に対して柔軟性があり変形可能な飾り２０（装飾体）を取り付けた照明器具において、飾り２０は灯具本体に対する２箇所の取り付け部を有し、取り付け部の一方は他方に対して相対的に位置を移動自在に構成され、位置移動により飾り２０の形態を任意に変更可能とした。これにより、飾りを使用者の好みの形態に保持することが可能となる。【選択図】図１
2005183234.tif 000002
【特許請求の範囲】
【請求項１】
灯具本体に対して柔軟性があり変形可能な装飾体を取り付けてなる照明器具において、
前記装飾体は、灯具本体に対する２箇所の取り付け部を有し、その取り付け部の少なくとも一方は他方に対して相対的に位置を移動自在に構成され、該位置移動により装飾体の形態を任意に変更可能としたことを特徴とする装飾体付き照明器具。
【発明の詳細な説明】
【技術分野】
【０００１】
本発明は、装飾体を有した照明器具に関する。
【背景技術】
【０００２】
この種の照明器具の基本的な構成例を図８に示す。この照明器具は、天井付け用のフランジ１から放射方向に複数延設され灯具本体を支持する支持アーム６と、下方に延出されたセンターアーム２と、支持アーム６の先端部で灯具部を構成するセード押さえ７、セード８、ソケット９、及びランプ１０等から成る。各支持アーム６とセンターアーム２との間には飾り２０（装飾体）が取り付けられている。こり飾り２０の一方の取り付け部は支持アーム６に貫通し、もう一方の取り付け部はセンターアーム２にネジ２１により固定されている。また、装飾部材の上端が支持材に取付けられて吊下げられている場合には、支持材をたわませることで異なる寸法の器具本体に共用できるものも知られている（例えば、特許文献１参照）。
【特許文献１】実開平５−３４６０５号公報
【発明の開示】
【発明が解決しようとする課題】
【０００３】
ところで、このような照明器具の飾り２０は、変形可能な部材で構成されていたとしても、任意の形態を取った状態で保持できるようにはなっていない。
本発明は、柔軟性のある装飾体を使用者の好みの形態で維持固定させることが可能で、装飾性機能の向上を図った装飾体付き照明器具を提供することを目的とする。
【課題を解決するための手段】
【０００４】
上述目的を達成するために本発明は、灯具本体に対して柔軟性があり変形可能な装飾体を取り付けてなる照明器具において、前記装飾体は、灯具本体に対する２箇所の取り付け部を有し、その取り付け部の少なくとも一方は他方に対して相対的に位置を移動自在に構成され、該位置移動により装飾体の形態を任意に変更可能としたことを特徴とする。
【発明の効果】
【０００５】
本発明によれば、柔軟性のある装飾体を使用者の好みの形態に保持することが可能になり、使用者は装飾体の形態のバリエーションを楽しむことができる。
【発明を実施するための最良の形態】
【０００６】
以下、本発明の実施形態に係る装飾体付き照明器具について図面を参照して説明する。図１は本実施形態に係る照明器具の基本構成を示す。照明器具は、天井面取り付け用の金属製板材を絞り加工したフランジ１と、鋼管製パイプ２と、金属製板材の本体３と、本体３に取り付けられた金属製板材を絞り加工した本体カバー４と、真鍮製の飾りナット５と、本体３に結合され放射方向に複数延設された鋼管製アーム６と、このアーム６の先端側に取り付けられた灯具部を成す全属製板材を絞り加工したセード押さえ７、ガラス製セード８、ソケット９、及び白熱ランプ１０とを備える。
【０００７】
この照明器具は、装飾体として柔軟性があり変形可能な革製の飾り２０を備え、この飾り２０は、本体３とアーム６から構成される灯具本体に対して２箇所の取り付け部を有し、アーム６に沿って一方の取り付け部は他方に対して相対的に位置を移動自在に構成されている。一方の取り付け部は、本体カバー４にツマミネジ２１により取り付けられ、他方の取り付け部は、アーム６の先端側にネジ２２により取り付けられる。飾り２０の一方の取り付け部を相対的に位置移動自在とするために、本体カバー４は円周（図示矢印Ａ）方向に回転自在に構成されている。その回転により飾り２０の取り付け位置が移動して、飾り２０の形態を任意に変更可能としている。また、飾りナット５を締め付けることで、本体カバー４は固定される。飾り２０は、革製に限られず、伸縮可能な材質であってもよい。
【０００８】
照明器具のその他の詳細構成を説明すると、フランジ１、パイプ２、本体３、アーム６、及びセード押さえ７は、それぞれナット等にて互いに強固に固定されており、灯具部を構成している。その灯具部は、取付全具１２と袋ナット１３等で天井に固定される。本体３よりニップル１４が本体カバー４の固定用に突設されており、ニップル１４に飾りナット５を締め付けることで、本体カバー４を固定できるようにしている。電源コード２５は、フランジ１内からパイプ２、本体３、アーム６内を通ってソケット９まで延設されている。
【０００９】
上記のように構成された照明器具においては、飾りナット５を緩めた状態で本体カバー４を回転させると、飾り２０のツマミネジ２１による取り付け側が移動し、他方側に対して相対位置が変化するため、飾り２０は捩れる。その結果、飾り２０は、照明器具を下方から見たとき、図２の状態から図３に示す状態に変化する。飾り２０が捩れた状態で、飾りナット５を締め付けることで、その状態を保持できる。
【００１０】
次に、他の実施形態に係る照明器具について説明する。図４は本体カバー部を示し、飾り２０の取付位置を変更できる実施形態である。本実施形態においては、ニップル１４に取り付けられたナット１５の位置を上下に移動させることにより、本体カバー４の取付け位置が高さ（矢印Ｂ）方向に移動可能に構成されている。飾り２０は本体カバー４にツマミネジ２１により取り付けられている。このような構成により、飾りナット５を回転させることで、本体カバー４が上下移動し、飾り２０の一端側を他方側に対し相対的に上下移動させることができ、飾り２０の形態を変化させることができる。
【００１１】
さらに、他の実施形態に係る照明器具について説明する。図５は本体カバー部を示し、上記と同様に飾り２０の取付位置を変更できる実施形態である。本実施形態においては、本体カバー４に飾り取り付け用のねじ穴が正規の第１位置ａ１以外に、第２位置ａ２にも存在する。これにより、ツマミネジ２１を締め付けるねじ穴を第１位置ａ１から第２位置ａ２（又はその逆）に変更することで、飾り２０の本体カバー４への取り付け位置を高さ（矢印Ｃ）方向に移動させることができるようになっている。
【００１２】
図６及び図７は、上記実施形態による飾り２０の形態の変化の前後を示す。図６では、ツマミネジ２１を第２位置ａ２に締め付けて、矢印Ｄ方向に飾り２０の一端を移動させた状態にあり、図７では、ツマミネジ２１を第１位置ａ１に締め付けて、矢印Ｅ方向に飾り２０の一端を移動させた状態にある。こうして、使用者の好みに合わせて柔軟性のある飾り２０の形態を変更することができ、装飾性のバリエーションが高まる。
【００１３】
なお、本発明は、上記実施形態の構成に限られず、種々の変形が可能であり、例えば、上記では天井付けで放射方向にアーム６が延設された形態を示したが、その他の形態や壁付けの照明器具であっても、また、飾りが単数のものであっても同様に適用可能である。
【図面の簡単な説明】
【００１４】
【図１】本発明の実施形態に係る照明器具の側面図。
【図２】同上照明器具の下面図。
【図３】同上照明器具の下面図。
【図４】本発明の他の実施形態に係る照明器具の本体カバー部の半裁側断面図。
【図５】本発明の他の実施形態に係る照明器具の本体カバー部の半裁側断面図。
【図６】他の実施形態に係る照明器具の飾りの形態を示す部分側面図。
【図７】他の実施形態に係る照明器具の飾りの形態を示す部分側面図。
【図８】従来の照明器具の基本的な構成を示す側面図。
【符号の説明】
【００１５】
３  本体（灯具本体）
４  本体カバー
５  飾りナット
６  アーム（灯具本体）
２０  飾り（装飾体）
２１  ツマミネジ
【図１】
2005183234.tif 000003
【図２】
2005183234.tif 000004
【図３】
2005183234.tif 000005
【図４】
2005183234.tif 000006
【図５】
2005183234.tif 000007
【図６】
2005183234.tif 000008
【図７】
2005183234.tif 000009
【図８】
2005183234.tif 000010